(57)【要約】【課題】ＧＰＳ受信機付き移動通信端末装置の所有者による操作を必要とすることなく、ＧＰＳ情報の受信に基づく位置情報を第三者が取得することを可能とする。【解決手段】無線でネットワーク１６に接続される移動通信端末装置１０が、位置情報の送信要求を受け付けるための専用アドレスで位置情報送信要求メールを受信する手段と、位置情報送信要求メールが受信されたとき、ＧＰＳ衛星１２よりＧＰＳ情報を受信する手段と、受信されたＧＰＳ情報に基づき現在の位置情報を取得する手段と、取得された位置情報を、返信メールとして、所定のメールアドレスに送信する手段と、を具備するように構成される。【選択図】図１
2007243713.tif 000002
【特許請求の範囲】
【請求項１】
無線でネットワークに接続される移動通信端末装置であって、
位置情報の送信要求を受け付けるための専用アドレスで位置情報送信要求メールを受信する専用メール受信手段と、
前記専用メール受信手段によって位置情報送信要求メールが受信されたとき、ＧＰＳ衛星よりＧＰＳ情報を受信するＧＰＳ情報受信手段と、
前記ＧＰＳ情報受信手段によって受信されたＧＰＳ情報に基づき現在の位置情報を取得する位置情報取得手段と、
前記位置情報取得手段によって取得された位置情報を、返信メールとして、所定のメールアドレスに送信する返信メール送信手段と、
を具備する移動通信端末装置。
【請求項２】
当該移動通信端末装置の電源回路がオフ状態にあっても、前記専用メール受信手段を動作状態に保持する手段、を更に具備する、請求項１に記載の移動通信端末装置。
【請求項３】
当該移動通信端末装置の電源回路がオフ状態にある場合において、前記専用メール受信手段が位置情報送信要求メールを受信したとき、当該電源回路を自動的に立ち上げる手段、を更に具備する、請求項２に記載の移動通信端末装置。
【請求項４】
少なくとも、一つの端末装置と、無線で接続される一つの移動通信端末装置と、をネットワークで結ぶ通信システムにおいて、前記移動通信端末装置を、
位置情報の送信要求を受け付けるための専用アドレスで位置情報送信要求メールを受信する専用メール受信手段と、
前記専用メール受信手段によって位置情報送信要求メールが受信されたとき、ＧＰＳ衛星よりＧＰＳ情報を受信するＧＰＳ情報受信手段と、
前記ＧＰＳ情報受信手段によって受信されたＧＰＳ情報に基づき現在の位置情報を取得する位置情報取得手段と、
前記位置情報取得手段によって取得された位置情報を、返信メールとして、所定のメールアドレスに送信する返信メール送信手段と、
として機能させ、前記一つの端末装置を、
前記移動通信端末装置の前記専用アドレスに、位置情報送信要求メールを送信する専用メール送信手段と、
前記移動通信端末装置からの前記返信メールを受信する返信メール受信手段と、
として機能させるための通信プログラム。
【請求項５】
少なくとも、一つの端末装置と、無線で接続される一つの移動通信端末装置と、をネットワークで結ぶ通信システムにおける通信方法であって、
前記一つの端末装置が、前記移動通信端末装置が位置情報の送信要求を受け付けるための専用アドレスに、位置情報送信要求メールを送信するステップと、
前記移動通信端末装置が、前記専用アドレスで位置情報送信要求メールを受信するステップと、
前記移動通信端末装置が、前記位置情報送信要求メールを受信したとき、ＧＰＳ衛星よりＧＰＳ情報を受信するステップと、
前記移動通信端末装置が、受信されたＧＰＳ情報に基づき現在の位置情報を取得するステップと、
前記移動通信端末装置が、取得された位置情報を、返信メールとして、所定のメールアドレスに送信するステップと、
前記一つの端末装置が、前記返信メールを受信するステップと、
を具備する通信方法。
【発明の詳細な説明】
【技術分野】
【０００１】
本発明は、携帯電話機等の移動通信端末装置、並びに、移動通信端末装置等をネットワークで結ぶ通信システムにおける通信プログラム及び通信方法、に関する。
【背景技術】
【０００２】
近年、移動通信端末装置を代表するものである携帯電話機が、広く普及するとともに、技術的にも劇的な発展を遂げている。特に、ＧＰＳ（Global Positioning System：全地球測位システム）受信機を搭載した携帯電話機も登場してきている。現在、地球周囲の６軌道にそれぞれ４機のＧＰＳ衛星（合計２４機）が周回している。ＧＰＳ衛星は、高精度の時計を搭載しており、機体番号、送信時刻、軌道位置などの航法メッセージ（ＧＰＳ情報）を送信している。ＧＰＳ受信機は、緯度、経度、高度及び時刻を測定するため、最低４機のＧＰＳ衛星から航法メッセージを受信する必要がある。
【０００３】
ところで、ＧＰＳ受信機付き携帯電話機の所有者がその電話機を操作することにより得られる当該所有者の位置情報は、当該所有者がそれを発信することにより、初めて第三者に伝達されることが可能となる。したがって、ＧＰＳ受信機付き携帯電話機の所有者が、何らかの原因により、ＧＰＳ情報の受信操作及びそれに基づく位置情報の発信操作をすることができない場合には、第三者は、当該所有者の位置情報を取得することができないという問題がある。
【０００４】
なお、本発明に関連する先行技術文献として、下記特許文献１は、端末装置側のユーザに発呼ができないような何らかの状況がある場合に、確実に所定の相手に発呼して、必要な遠隔操作を受けることができる移動無線電話端末装置を開示している。また、下記特許文献２は、ユーザが所有する移動通信端末装置を紛失した場合に第三者による不正利用を防止し、その移動通信端末装置の早期発見を可能とする、通信システム及び移動通信端末装置を開示している。また、下記特許文献３は、移動通信端末装置のカメラ撮影と撮影画像の受信を遠隔地から簡単な操作で行うことを可能とする移動通信端末装置を開示している。
【０００５】
【特許文献１】特開平９−１０７４１８号公報
【特許文献２】特開２００３−２２４８８６号公報
【特許文献３】特開２００５−２４４４９４号公報
【発明の開示】
【発明が解決しようとする課題】
【０００６】
本発明は、上述した問題点に鑑みてなされたものであり、その目的は、ＧＰＳ受信機付き移動通信端末装置の所有者による操作を必要とすることなく、ＧＰＳ情報の受信に基づく位置情報を第三者が取得することを可能とする、移動通信端末装置、通信プログラム及び通信方法を提供することにある。
【課題を解決するための手段】
【０００７】
上記目的を達成するために、本発明によれば、無線でネットワークに接続される移動通信端末装置であって、位置情報の送信要求を受け付けるための専用アドレスで位置情報送信要求メールを受信する専用メール受信手段と、前記専用メール受信手段によって位置情報送信要求メールが受信されたとき、ＧＰＳ衛星よりＧＰＳ情報を受信するＧＰＳ情報受信手段と、前記ＧＰＳ情報受信手段によって受信されたＧＰＳ情報に基づき現在の位置情報を取得する位置情報取得手段と、前記位置情報取得手段によって取得された位置情報を、返信メールとして、所定のメールアドレスに送信する返信メール送信手段と、を具備する移動通信端末装置が提供される。
【０００８】
一つの好適な態様では、この移動通信端末装置は、当該移動通信端末装置の電源回路がオフ状態にあっても、前記専用メール受信手段を動作状態に保持する手段、を更に具備する。
【０００９】
また、好ましくは、この移動通信端末装置は、当該移動通信端末装置の電源回路がオフ状態にある場合において、前記専用メール受信手段が位置情報送信要求メールを受信したとき、当該電源回路を自動的に立ち上げる手段、を更に具備する。
【００１０】
また、本発明によれば、少なくとも、一つの端末装置と、無線で接続される一つの移動通信端末装置と、をネットワークで結ぶ通信システムにおいて、前記移動通信端末装置を、位置情報の送信要求を受け付けるための専用アドレスで位置情報送信要求メールを受信する専用メール受信手段と、前記専用メール受信手段によって位置情報送信要求メールが受信されたとき、ＧＰＳ衛星よりＧＰＳ情報を受信するＧＰＳ情報受信手段と、前記ＧＰＳ情報受信手段によって受信されたＧＰＳ情報に基づき現在の位置情報を取得する位置情報取得手段と、前記位置情報取得手段によって取得された位置情報を、返信メールとして、所定のメールアドレスに送信する返信メール送信手段と、として機能させ、前記一つの端末装置を、前記移動通信端末装置の前記専用アドレスに、位置情報送信要求メールを送信する専用メール送信手段と、前記移動通信端末装置からの前記返信メールを受信する返信メール受信手段と、として機能させるための通信プログラムが提供される。
【００１１】
また、本発明によれば、少なくとも、一つの端末装置と、無線で接続される一つの移動通信端末装置と、をネットワークで結ぶ通信システムにおける通信方法であって、前記一つの端末装置が、前記移動通信端末装置が位置情報の送信要求を受け付けるための専用アドレスに、位置情報送信要求メールを送信するステップと、前記移動通信端末装置が、前記専用アドレスで位置情報送信要求メールを受信するステップと、前記移動通信端末装置が、前記位置情報送信要求メールを受信したとき、ＧＰＳ衛星よりＧＰＳ情報を受信するステップと、前記移動通信端末装置が、受信されたＧＰＳ情報に基づき現在の位置情報を取得するステップと、前記移動通信端末装置が、取得された位置情報を、返信メールとして、所定のメールアドレスに送信するステップと、前記一つの端末装置が、前記返信メールを受信するステップと、を具備する通信方法が提供される。
【発明の効果】
【００１２】
本発明によれば、ＧＰＳ受信機付き移動通信端末装置の所有者が何らの操作をしなくとも、第三者は、ＧＰＳ情報の受信に基づく位置情報を取得することができる。移動通信端末装置の電源がオフ状態にあっても、第三者は、位置情報を取得することができる。
【発明を実施するための最良の形態】
【００１３】
以下、添付図面を参照して本発明の実施形態について説明する。図１は、本発明の実施形態におけるシステム構成を示す図である。携帯電話機１０は、ＧＰＳ受信機能を備え、ＧＰＳ衛星１２からの電波を受信することにより、ＧＰＳ情報（航法メッセージ）を取得することができる。また、携帯電話機１０は、現在位置に応じた基地局１４と無線（電波）で通信し、基地局１４を介してインターネット１６に接続される。
【００１４】
また、インターネット１６には、他の基地局１８を介して他の携帯電話機２０が接続され、さらには、パーソナルコンピュータ２２も接続される。インターネット１６に接続された端末装置群、すなわち、携帯電話機１０、携帯電話機２０、パーソナルコンピュータ２２等は、相互に電子メールのやり取りを実行する。なお、携帯電話機２０は、ＧＰＳ受信機能を備えている必要はない。
【００１５】
図２は、図１に示される携帯電話機１０の内部構成を示す図である。同図において、符号１０２はアンテナ、符号１０４は送信回路、符号１０６は受信回路、符号１０８はベースバンド信号処理部、符号１１０は主制御部、符号１１２はスピーカ／マイク部、符号１１４はキー入力部、符号１１６は表示部、符号１１８は電源回路、符号１２０は主バッテリ、符号１２２は専用バッテリ、符号１２４は電源起動制御回路、をそれぞれ示す。
【００１６】
ここで、ベースバンド信号処理部１０８は、変調、復調、無線通信制御、音声処理、画像処理、マルチメディアインタフェース処理、等を実行する。また、主制御部１１０は、通信プロトコル処理、アプリケーション処理、等を実行する。そして、特に、専用バッテリ１２２及び電源起動制御回路１２４は、本発明のために設けられるものであり、後述されるように、携帯電話機１０の電源がオフ状態にあっても、専用電子メールの受信及び電源の自動的な立ち上げを実現する。
【００１７】
図３は、本発明の実施形態における処理動作を示すフローチャートである。前提として、図２におけるＧＰＳ受信機付き携帯電話機１０は、通常の電子メールアドレスに加え、位置情報送信要求受付専用の電子メールアドレスを通信事業会社等より受けて持っているものとする。また、その専用電子メールアドレスに電子メールを送信することが許可されている電子メールアドレスも、通信事業会社等で管理されているものとする。
【００１８】
例えば、図２における携帯電話機２０及びパーソナルコンピュータ２２は、ＧＰＳ受信機付き携帯電話機１０に対して位置情報送信要求専用の電子メールを送信することを許可されており、そのことが登録されているものとする。まず、携帯電話機２０又はパーソナルコンピュータ２２（位置情報送信要求元端末装置）のユーザは、ＧＰＳ受信機付き携帯電話機１０（位置情報送信要求先端末装置）の位置情報送信要求受付専用電子メールアドレスを用いて位置情報送信要求専用電子メールを発信する（ステップ２０２）。その電子メールでは、本文の記載は不要である。
【００１９】
すると、ＧＰＳ受信機付き携帯電話機１０は、その位置情報送信要求専用電子メールを受信する（ステップ３０２）。なお、携帯電話機１０では、たとえ電源回路１１８がオフ状態になっていても、その専用電子メールを受信することができるように、受信回路１０６内の必要な部分は、専用バッテリ１２２によって待ち受け可能な状態に保持されている。
【００２０】
そして、受信回路１０６は、携帯電話機１０の電源がオフの状態で専用電子メールを受信した場合には、電源起動制御回路１２４にその旨を伝える信号を送出する（ステップ３０４）。すると、電源起動制御回路１２４は、電源回路１１８を制御することにより携帯電話機１０の電源を立ち上げる（ステップ３０６）。
【００２１】
次いで、携帯電話機１０は、４機のＧＰＳ衛星１２の各々からＧＰＳ情報（航法メッセージ）を取得する（ステップ３０８）。さらに、携帯電話機１０は、取得されたＧＰＳ情報に基づいて現在の位置情報（緯度及び経度）を計算する（ステップ３１０）。あるいは、携帯電話機１０は、インターネットに接続された位置情報センタ（基準局）にＧＰＳ情報を送信して位置情報を計算してもらい、その結果を受け取るようにしてもよい。
【００２２】
最後に、携帯電話機１０は、自己の位置情報を所定の電子メールアドレスに返信する（ステップ３１２）。携帯電話機１０は、その返信のために、図４に示されるように、位置情報要求元アドレスと位置情報返信先アドレスとの対応テーブルを予め記憶している。原則として、位置情報返信先アドレスには位置情報要求元アドレスが含まれる。
【００２３】
そして、位置情報の要求元である携帯電話機２０又はパーソナルコンピュータ２２は、電子メールにより位置情報を受け取り、そのユーザは、ＧＰＳ受信機付き携帯電話機１０の所在を知ることができる。
【００２４】
なお、一般に、携帯電話機は、表示部１１６にバッテリ残量を表示するところ、本実施形態における携帯電話機１０は、電源回路１１８が自動的に立ち上げられたときにＧＰＳ情報の受信、位置情報の取得及び返信メールの送信の各動作が可能なだけのバッテリ電気量となった時点で、バッテリ残量がゼロである旨の表示を行うように構成されている。そのため、位置情報の送信が確実に実行されることとなる。
【００２５】
以上、本発明を特にその好ましい実施の形態を参照して詳細に説明した。本発明の容易な理解のため、本発明の具体的な形態を以下に付記する。
【００２６】
（付記１）  無線でネットワークに接続される移動通信端末装置であって、
位置情報の送信要求を受け付けるための専用アドレスで位置情報送信要求メールを受信する専用メール受信手段と、
前記専用メール受信手段によって位置情報送信要求メールが受信されたとき、ＧＰＳ衛星よりＧＰＳ情報を受信するＧＰＳ情報受信手段と、
前記ＧＰＳ情報受信手段によって受信されたＧＰＳ情報に基づき現在の位置情報を取得する位置情報取得手段と、
前記位置情報取得手段によって取得された位置情報を、返信メールとして、所定のメールアドレスに送信する返信メール送信手段と、
を具備する移動通信端末装置。
【００２７】
（付記２）  当該移動通信端末装置の電源回路がオフ状態にあっても、前記専用メール受信手段を動作状態に保持する手段、を更に具備する、付記１に記載の移動通信端末装置。
【００２８】
（付記３）  当該移動通信端末装置の電源回路がオフ状態にある場合において、前記専用メール受信手段が位置情報送信要求メールを受信したとき、当該電源回路を自動的に立ち上げる手段、を更に具備する、付記２に記載の移動通信端末装置。
【００２９】
（付記４）  当該電源回路が自動的に立ち上げられたときに前記ＧＰＳ情報受信手段、前記位置情報取得手段及び前記返信メール送信手段の各動作が可能なだけのバッテリ電気量を残してバッテリ残量ゼロ表示を行う、付記３に記載の移動通信端末装置。
【００３０】
（付記５）  少なくとも、一つの端末装置と、無線で接続される一つの移動通信端末装置と、をネットワークで結ぶ通信システムであって、前記移動通信端末装置が、
位置情報の送信要求を受け付けるための専用アドレスで位置情報送信要求メールを受信する専用メール受信手段と、
前記専用メール受信手段によって位置情報送信要求メールが受信されたとき、ＧＰＳ衛星よりＧＰＳ情報を受信するＧＰＳ情報受信手段と、
前記ＧＰＳ情報受信手段によって受信されたＧＰＳ情報に基づき現在の位置情報を取得する位置情報取得手段と、
前記位置情報取得手段によって取得された位置情報を、返信メールとして、所定のメールアドレスに送信する返信メール送信手段と、
を具備し、前記一つの端末装置が、
前記移動通信端末装置の前記専用アドレスに、位置情報送信要求メールを送信する専用メール送信手段と、
前記移動通信端末装置からの前記返信メールを受信する返信メール受信手段と、
を具備する通信システム。
【００３１】
（付記６）  少なくとも、一つの端末装置と、無線で接続される一つの移動通信端末装置と、をネットワークで結ぶ通信システムにおいて、前記移動通信端末装置を、
位置情報の送信要求を受け付けるための専用アドレスで位置情報送信要求メールを受信する専用メール受信手段と、
前記専用メール受信手段によって位置情報送信要求メールが受信されたとき、ＧＰＳ衛星よりＧＰＳ情報を受信するＧＰＳ情報受信手段と、
前記ＧＰＳ情報受信手段によって受信されたＧＰＳ情報に基づき現在の位置情報を取得する位置情報取得手段と、
前記位置情報取得手段によって取得された位置情報を、返信メールとして、所定のメールアドレスに送信する返信メール送信手段と、
として機能させ、前記一つの端末装置を、
前記移動通信端末装置の前記専用アドレスに、位置情報送信要求メールを送信する専用メール送信手段と、
前記移動通信端末装置からの前記返信メールを受信する返信メール受信手段と、
として機能させるための通信プログラム。
【００３２】
（付記７）  少なくとも、一つの端末装置と、無線で接続される一つの移動通信端末装置と、をネットワークで結ぶ通信システムにおける通信方法であって、
前記一つの端末装置が、前記移動通信端末装置が位置情報の送信要求を受け付けるための専用アドレスに、位置情報送信要求メールを送信するステップと、
前記移動通信端末装置が、前記専用アドレスで位置情報送信要求メールを受信するステップと、
前記移動通信端末装置が、前記位置情報送信要求メールを受信したとき、ＧＰＳ衛星よりＧＰＳ情報を受信するステップと、
前記移動通信端末装置が、受信されたＧＰＳ情報に基づき現在の位置情報を取得するステップと、
前記移動通信端末装置が、取得された位置情報を、返信メールとして、所定のメールアドレスに送信するステップと、
前記一つの端末装置が、前記返信メールを受信するステップと、
を具備する通信方法。
【図面の簡単な説明】
【００３３】
【図１】本発明の実施形態におけるシステム構成を示す図である。
【図２】図１に示される携帯電話機１０の内部構成を示す図である。
【図３】本発明の実施形態における処理動作を示すフローチャートである。
【図４】位置情報要求元アドレスと位置情報返信先アドレスとの対応関係を定めたテーブルを示す図である。
【符号の説明】
【００３４】
１０    携帯電話機
１２    ＧＰＳ衛星
１４    基地局
１６    インターネット
１８    基地局
２０    携帯電話機
２２    パーソナルコンピュータ
１０２    アンテナ
１０４    送信回路
１０６    受信回路
１０８    ベースバンド信号処理部
１１０    主制御部
１１２    スピーカ／マイク部
１１４    キー入力部
１１６    表示部
１１８    電源回路
１２０    主バッテリ
１２２    専用バッテリ
１２４    電源起動制御回路
【図１】
2007243713.tif 000003
【図２】
2007243713.tif 000004
【図３】
2007243713.tif 000005
【図４】
2007243713.tif 000006